(57)【要約】【課題】面状止水材と、該面状止水材を貫通するプレート等の部材との境界部を湿式止水材で品質良好に止水することができる止水構造を提供する。【解決手段】面状止水材３を部材５が貫通し、該部材５の周囲において、面状止水材３の面部には、部材５との間に環状溝９を形成する所定の高さ寸法の環状の土手材６が貼り付けられ、該環状溝９内に湿式止水材７が注入されて面状止水材３と部材５との境界部が止水されている。【選択図】      図１
2008082035.tif 000002
【特許請求の範囲】
【請求項１】
面状止水材を部材が貫通し、該部材の周囲において、面状止水材の面部には、部材との間に環状溝を形成する所定の高さ寸法の環状の土手材が貼り付けられ、該環状溝内に湿式止水材が注入されて面状止水材と部材との境界部が止水されていることを特徴とする、面状止水材と該止水材を貫通する部材との境界部の止水構造。
【請求項２】
前記面状止水材は、帯状をしていると共に、土手材の貼り付けられた側の面部に、長手方向に延びて部材貫通部の脇を通過する止水用のヒレを備えている請求項１に記載の、面状止水材と該止水材を貫通する部材との境界部の止水構造。
【請求項３】
前記帯状の面状止水材は、長手方向を上下方向に向けた姿勢状態で用いられるものからなると共に、ヒレが前記部材の両脇に備えられ、前記部材は縦長断面のプレートからなって、土手材は、その上端側が、水の流れを各ヒレの側に逸らす三角形状をしている請求項２に記載の、面状止水材と該止水材を貫通する部材との境界部の止水構造。
【請求項４】
請求項１乃至３のいずれか一の止水構造を形成する方法であって、土手材を面状止水材の面部に貼り付けた後、土手材で囲まれた内部において、面状止水材に部材貫通用の切込みを入れることを特徴とする形成方法。
【発明の詳細な説明】
【技術分野】
【０００１】
本発明は、面状止水材と該止水材を貫通する部材との境界部の止水構造等に関する。
【背景技術】
【０００２】
例えば、図５（ホ）に示すように、背後に柱５１が備えられた外壁縦目地５２の止水構造として、柱５１の正面部に上下方向に延びる帯状の面状止水材５３を貼り付け、面状止水材５３の正面部の左右両側を上下方向に延びるヒレ５４，５４を目地５２を挟む左右の外壁材５５，５５の背面部に弾力的に当接させることで外壁目地５２を止水するようにしたものがあるが、このような止水構造において、柱５１の正面部に、物干し金物やバルコニーのフレームを取り付けるための縦長断面の垂直プレート５６を取り付け、面状止水材５３を貫通させて外壁目地５２を通じて屋外側に突出させるようにすることがある。そのような場合の面状止水材５３と、該面状止水材５３を貫通するプレート５６との境界部の止水方法として考えられる一般的方法は、該境界部の全周を湿式止水材５７を用いて三角コーキングする方法である。
【０００３】
具体的には、同図（イ）（ロ）（ハ）に示すように、工場などにおいて予め、面状止水材５３にカッターで切込み５８を入れ、柱５１の正面側を上向きにし、柱５１に取り付けたプレート５６を該切込み５８に通して面状止水材５３を貫通させ、面状止水材５３を柱５１の正面部に貼り付けた後、同図（ニ）に示すように、面状止水材５３とプレート５６との境界部の全周を湿式止水材５７を用いて三角コーキングし、これを建方に用いる。
【特許文献１】特開２００５−２５６５０９号公報
【発明の開示】
【発明が解決しようとする課題】
【０００４】
しかしながら、上記のような止水構造では、面状止水材５３とプレート５６との境界部の止水を湿式止水材５７で三角コーキングをして止水しているため、注入した湿式止水材５７が、境界部から面状止水材５３上に広がりやすく、該境界部を湿式止水材５７で品質良好に止水するのが容易ではないという問題がある。
【０００５】
また、面状止水材５３のヒレ５４，５４が、面状止水材５３とプレート５６との境界部に注入した湿式止水材５７に接着してしまいやすく、面状止水材５３が止水能力を充分に発揮でしなくなってしまうことも起こりうる。
【０００６】
更に、面状止水材５３に入れるプレート貫通用の切込み５８は、カッターを用いた手作業で行われるため、切込み５８が長すぎたり、左右方向にずれたりしないよう慎重に行う必要があって、作業が厄介である。
【０００７】
本発明は、上記のような問題点に鑑み、面状止水材と、該面状止水材を貫通するプレート等の部材との境界部を湿式止水材で品質良好に止水することができ、また、面状止水材に貫通部の脇を通過するヒレが備えられている場合であっても、そのヒレが湿式止水材に接着しにくくて面状止水材の止水性能を損なわせることがない止水構造を提供することを課題とする。
【課題を解決するための手段】
【０００８】
上記の課題は、面状止水材を部材が貫通し、該部材の周囲において、面状止水材の面部には、部材との間に環状溝を形成する所定の高さ寸法の環状の土手材が貼り付けられ、該環状溝内に湿式止水材が注入されて面状止水材と部材との境界部が止水されていることを特徴とする、面状止水材と該止水材を貫通する部材との境界部の止水構造によって解決される（第１発明）。
【０００９】
この止水構造では、土手材によって形成された環状溝内に湿式止水材を注入するようになされているので、湿式止水材が土手材によるせき止め作用によって面状止水材上に広がらず、そのため、面状止水材と部材との境界部を品質良好に止水することができる。
【００１０】
第１発明において、前記面状止水材は、帯状をしていると共に、土手材の貼り付けられた側の面部に、長手方向に延びて部材貫通部の脇を通過する止水用のヒレを備えているとよい（第２発明）。この場合は、上記のように湿式止水材が土手材によるせき止め作用によって面状止水材上に広がらず、そのため、止水用のヒレがこのように部材貫通部の脇を通過する構造であっても、該ヒレが湿式止水材に接着しにくく、該接着によって面状止水材の止水性能が損なわれるのを防ぐことができる。
【００１１】
第２発明において、前記帯状の面状止水材は、長手方向を上下方向に向けた姿勢状態で用いられるものからなると共に、ヒレが前記部材の両脇に備えられ、前記部材は縦長断面のプレートからなって、土手材は、その上端側が、水の流れを各ヒレの側に逸らす三角形状をしているとよい（第３発明）。この場合は、土手材によって上下方向の水の流れが妨げられるのが防がれ、ヒレとの組み合わせでスムーズな流れを形成することができる。
【００１２】
また、本発明は、第１〜第３の発明のいずれか一の止水構造を形成する方法であって、土手材を面状止水材の面部に貼り付けた後、土手材で囲まれた内部において、面状止水材に部材貫通用の切込みを入れることを特徴とする形成方法を含む（第４発明）。
【００１３】
この方法によれば、土手材を、部材を貫通させるための切込みの寸法や位置を正確に特定する目印にすることができて、適正な寸法と位置の切込みを容易に形成することができる。
【発明の効果】
【００１４】
本発明は、以上のとおりのものであるから、面状止水材と、該面状止水材を貫通するプレート等の部材との境界部を湿式止水材で品質良好に止水することができる。また、面状止水材に貫通部の脇を通過するヒレが備えられている場合であっても、そのヒレが湿式止水材に接着しにくくて面状止水材の止水性能を損なわせることがない。
【発明を実施するための最良の形態】
【００１５】
次に、本発明の実施最良形態を図面に基づいて説明する。
【００１６】
図１及び図２に示す実施形態の止水構造は、外壁縦目地１の背後に鋼製柱２が備えられ、該鋼製柱２の正面部に、帯状の面状止水材３が上下方向に延びるように貼り付けられ、面状止水材３は正面側の左右に上下方向に延びるヒレ３ａ，３ａを備え、該ヒレ３ａ，３ａを、目地１を挟む左右の外壁材４，４の背面部に弾力的に当接させて目地１を止水するようになされたものにおいて、柱２の正面部に縦長断面の部材としての鋼製の垂直プレート５が溶接などで取り付けられ、該垂直プレート５が面状止水材３の左右のヒレ３ａ，３ａ間の面部中央を貫通して屋外側に突出した構造におけるプレート５と面状止水材３との貫通境界部を止水の対象とし、該止水のため、プレート５の周囲において、面状止水材３の左右のヒレ３ａ，３ａ間の面部には、プレート５との間に環状溝を形成する所定の高さ寸法の環状の土手材６が貼り付けられ、該環状溝９内の全周に粘性接着剤などからなる湿式止水材７が注入されて面状止水材３とプレート５との境界部が止水された構造となっている。
【００１７】
土手材６は、発泡樹脂製の止水材などからなっていて、図２（ハ）に示すように、裏面部にブチル等からなる止水性の粘着層６ａを有し、該粘着層６ａを面状止水材３の面部に貼り付けることで取り付けられている。また、土手材６は、その上端側が、水の流れを左右のヒレ３ａ，３ａの側に逸らす三角形状に形成されている。
【００１８】
上記の面状止水材３や土手材６等の取付け、湿式止水材７の注入は、次のようにして行う。即ち、図３（イ）（ロ）及び図４（イ）（ロ）に示すように、柱２に貼り付ける前の面状止水材３の左右のヒレ３ａ，３ａ間の面部に土手材６を貼り付け、しかる後、図３（ハ）及び図４（ハ）に示すように、環状土手材６の環内において、面状止水材３の面部に、プレート５を貫通させるための切込み８をカッター１０等で入れる。
【００１９】
そして、図３（ニ）及び図４（ニ）（ホ）に示すように、柱２の建方を行う前の段階で、柱２の正面側を上向きにして、柱２に取り付けられたプレート５を切込み８に差し込んで面状止水材３を貫通させ、該面状止水材３を柱２の正面部に貼り付ける。これにより、土手材６とプレート５との間に環状溝９が形成され、しかる後、図３（ホ）及び図４（ヘ）に示すように、この環状溝９の全周に湿式止水材７を注入する。これにより、面状止水材３とプレート５との境界部が止水される。こうして、プレート５や面状止水材３、土手材６、湿式止水材７等を備えた柱２が建方に用いられ、図１に示すように、建物に組み込まれる。
【００２０】
このように、上記の止水構造では、土手材６によって形成された環状溝９内に湿式止水材７を注入するようになされているので、湿式止水材７が土手材６によるせき止め作用によって面状止水材３上に広がらず、そのため、面状止水材３とプレート５との貫通境界部を品質良好に止水することができる。
【００２１】
また、上記のように湿式止水材７が土手材６によるせき止め作用によって面状止水材３上に広がらないことにより、止水用のヒレ３ａ，３ａがプレート５の貫通部の脇を延びる構造であっても、該ヒレ３ａ，３ａが湿式止水材７に接着しにくく、該接着によって面状止水材３のヒレ３ａ，３ａによる止水性能が損なわれることもない。
【００２２】
更に、土手材６は、その上端側が三角形状をしているので、図１（ハ）に示すように、土手材６によって上下方向の水の流れが妨げられるのが防がれ、左右のヒレ３ａ，３ａとの組み合わせでスムーズな水の流れを形成することができる。
【００２３】
また、本実施形態では、土手材６を面状止水材３の面部に貼り付けた後、土手材６で囲まれた内部において、面状止水材３にプレート貫通用の切込み８を入れるようにしているので、土手材６を、プレート５を貫通させるための切込み８の寸法や位置を正確に特定する目印にすることができて、適正な寸法と位置の切込み８を容易に形成することができる。
【００２４】
以上に、本発明の実施形態を示したが、本発明はこれに限られるものではなく、発明思想を逸脱しない範囲で各種の変更が可能である。例えば、上記の実施形態では、本発明の止水構造を、外壁目地１の背後に備えられた柱の正面部に貼り付けられるヒレ３ａ，３ａ付きの帯状の面状止水材３と、柱２の正面部に取り付けられた垂直プレート５との貫通境界部に適用した場合を示しているが、これに限らず、各所に備えられる面状止水材の面部を各種部材が貫通した構造において、該貫通境界部を止水する場合の止水構造として広く用いることができるものであり、面状止水材や部材、土手材等の材質や形態に制限はない。
【００２５】
また、上記の実施形態では、土手材として、プレート５等の部材との間に環状溝を形成する環状の土手材６を用いた場合を示したが、周囲に土手用の環状の立ち上がりを有する有底の止水土手材が用いられてもよく、そのような有底土手材を用いる場合は、土手材の底面を面状止水材の面部に止水状態に貼り付けると共に、土手材の環状立ち上がり部と部材との間の環状溝に湿式止水材を注入した構造となされていればよい。
【図面の簡単な説明】
【００２６】
【図１】図（イ）は実施形態の止水構造を示す断面平面図、図（ロ）は要部拡大断面平面図、図（ハ）は一部断面正面図である。
【図２】図（イ）はプレート付きの柱と、面状止水材と、土手材とを分離状態にして示す一部断面斜視図、図（ロ）及び図（ハ）は土手材の斜視図である。
【図３】図（イ）〜図（ホ）は、同止水構造の形成方法を順次に示す平面図である。
【図４】図（イ）〜図（ヘ）は、同止水構造の形成方法を順次に示す正面図である。
【図５】図（ホ）は従来の止水構造を示す断面平面図、図（イ）〜図（ニ）は同止水構造の形成方法を順次に示す斜視図、断面正面図である。
【符号の説明】
【００２７】
３…面状止水材
３ａ…ヒレ
５…垂直プレート（部材）
６…土手材
７…湿式止水材
８…切込み
９…環状溝
【図１】
2008082035.tif 000003
【図２】
2008082035.tif 000004
【図３】
2008082035.tif 000005
【図４】
2008082035.tif 000006
【図５】
2008082035.tif 000007